(57)【要約】【課題】予め捨てコンクリートを打設する必要がなく、地盤面に多少の凹凸がある状態であっても施工でき、施工時に基礎の配筋の邪魔になることのないアンカーボルト保持装置を提供することである【解決手段】建物基礎に配筋された鉄筋１にベース部材５を固定し、そのベース部材５から上方に立設して立ち上がり部材６を固定し、その立ち上がり部材６の上部から側方に延びるように保持部材３を固定し、その保持部材３がアンカーボルト２を保持する。【選択図】  図１
2006283359.tif 000002
【特許請求の範囲】
【請求項１】
アンカーボルトを所定の位置に保持するアンカーボルト保持装置であって、建物基礎に配筋された鉄筋に固定されるベース部材と、そのベース部材から上方に立設される立ち上がり部材と、その立ち上がり部材の上部に側方に延び、アンカーボルトを保持する保持部材とからなることを特徴とするアンカーボルト保持装置。
【請求項２】
前記立ち上がり部材がベース部材に対し、鉛直移動可能となされていることを特徴とする請求項１記載のアンカーボルト保持装置。
【請求項３】
前記立ち上がり部材と前記ベース部材が螺着されることにより、鉛直移動可能となされていることを特徴とする請求項２記載のアンカーボルト保持装置。
【請求項４】
前記保持部材が、前記立ち上がり部材の軸に対し直交する面内で水平移動可能になされていることを特徴とする請求項１乃至請求項３のいずれかに記載のアンカーボルト保持装置。
【請求項５】
前記立ち上がり部材の上部と、保持部材とが磁着されることにより着脱可能になされていることを特徴とする請求項１乃至請求項４のいずれかに記載のアンカーボルト保持装置。
【発明の詳細な説明】
【技術分野】
【０００１】
本発明は、アンカーボルトを所定の位置に容易にかつ正確に保持することができるアンカーボルト保持装置に関する。
【背景技術】
【０００２】
従来のアンカーボルト保持装置としては、基礎立ち上がり部の型枠に保持プレートを固定してアンカーボルトを保持する方法が一般的である。また、基礎立ち上がり部がなく基礎ベース部分に直接アンカーボルトの立ち上げを行う際には、特許文献１記載の発明のように、基礎底面部分となる地盤面に予め捨てコンクリートを略水平になるように打設し、捨てコンクリート硬化後に捨てコンクリート上に底部プレートを配置し、この底部プレートから複数のレベル調整ボルトを立設させ、その上部に調整プレートを設け、この調整プレート上に下端を固定した複数本のアンカーボルト群を立設させ、そのアンカーボルト群の上部に保持枠を着脱可能に設けることによりアンカーボルトの位置決め及び保持を行うものが提案されている。
【特許文献１】特開第２００４−１９３０３号公報
【発明の開示】
【発明が解決しようとする課題】
【０００３】
特許文献１記載の発明のアンカーボルト固定装置では、予め地盤面に略水平になるように捨てコンクリートを打設しておく必要がある。また、捨てコンクリートの上部に複数のレベル調整ボルトを立設させた底部プレートを設けるため、底部プレートやレベル調整ボルトが基礎の配筋の際に邪魔になる。
【０００４】
そこで、本発明の目的は、予め捨てコンクリートを打設する必要がなく、地盤面に多少の凹凸がある状態であっても施工でき、施工時に基礎の配筋の邪魔になることのないアンカーボルト保持装置を提供することである。
【課題を解決するための手段】
【０００５】
請求項１記載の発明のアンカーボルト保持装置は、アンカーボルトを所定の位置に保持するアンカーボルト保持装置であって、建物基礎に配筋された鉄筋に固定されるベース部材と、そのベース部材から上方に立設される立ち上がり部材と、その立ち上がり部材の上部に側方に延び、アンカーボルトを保持する保持部材とからなることを特徴とする。
【０００６】
ベース部材は立ち上がり部材を立設するための土台となる部分であり、ベース部材と配筋された鉄筋とは、なまし鉄線による結束や予め溶接により固定することが、強固な固定を行うことができ好ましい。また、ベース部材の形状はプレート状のものであっても、棒状のものであってもよい。
【０００７】
立ち上がり部材は、棒状にベース部材から上方に略鉛直に立設して固定される。アンカーボルトを保持する保持部材を上部に固定するため、少なくともコンクリート打設仕上げ面より高い位置まで立設されたものとする。
その立ち上がり部材の上部に、側方に延びるように保持部材を設ける。この保持部材にアンカーボルトを保持し、アンカーボルトを所定の設置位置になるように保持する。
【０００８】
なお、施工時には予めアンカーボルトの設置位置に水糸等を直交するように張っておき、その真下にアンカーボルトが保持されるように本発明のアンカーボルト保持装置を設け、保持部材からアンカーボルトが垂れ下がった状態でコンクリートの打設を行う。なお、この際、コンクリートの打設の圧力によりアンカーボルトが傾くことがないように、アンカーボルトをナット等で保持部材と強固に固定したり、アンカーボルトを支持する部材を下部に設けて補強を施しておくことが好ましい。
【０００９】
なお、ベース部材に立説した立ち上がり部材は３個以上を用いて保持部材を固定しアンカーボルトを保持する構成とすることが、保持部材が３点支持され安定するため好ましい。なお、立ち上がり部材を単独で用いて保持部材を固定しアンカーボルトを保持する構成としてもよい。
【００１０】
また、立ち上がり部材と支持部材は基礎完成後に取り外し可能となされていることが、基礎完成時に立ち上がり部材と保持部材が残ることがなく好ましい。
【００１１】
請求項１記載の発明の構成によると、ベース部材が配筋された鉄筋に固定されるので、配筋の際の邪魔になることがない。また、配筋工事に続けてベース部材の取り付けを行うことができ作業効率がよい。また、鉄筋に直接固定するので、予め地盤面に捨てコンクリートを打設する必要もなく工程短縮ができる、また基礎底面の地盤面に多少の凹凸が存在していても所定の設置位置にアンカーボルトの保持することができる。
【００１２】
請求項２記載の発明は、請求項１記載の発明のアンカーボルト保持装置であって、前記立ち上がり部材がベース部材に対し、鉛直移動可能となされていることを特徴とする。
【００１３】
請求項２記載の発明の構成によると、立ち上がり部材がベース部材に対して鉛直方向に移動可能となされることで、立ち上がり部材の上部に設けられた保持部材が鉛直方向に移動可能となる、それに伴い保持部材に保持されたアンカーボルトの位置を鉛直方向に調整できる。よって、ベース部材を固定する配筋に鉛直方向の凹凸が多少あったとしても、立ち上がり部材を鉛直移動させることでアンカーボルトの保持高さの調整を行うことができる。
【００１４】
請求項３記載の発明は、請求項２記載の発明のアンカーボルト保持装置であって、前記立ち上がり部材と前記ベース部材が螺着されることにより、鉛直移動可能となされていることを特徴とする。
【００１５】
前記立ち上がり部材と前記ベース部材が螺着される構成としては、例えば、ベース部材にナットを固定し、立ち上がり部材にねじ部を設けて螺着させる手段などが使用できる。
【００１６】
請求項３記載の発明の構成によると、立ち上がり部材とベース部材が螺着されることにより鉛直移動可能となされるので、立ち上がり部材を回動するだけの容易な作業でアンカーボルトの保持高さの調整を行うことができる。
【００１７】
請求項４記載の発明は、請求項１乃至請求項３のいずれかに記載のアンカーボルト保持装置であって、前記保持部材が、前記立ち上がり部材の軸に対し直交する面内で水平移動可能になされていることを特徴とする。
【００１８】
請求項４記載の発明の構成によると、保持部材が立ち上がり部材の軸に対して直交する面内で水平移動可能となされることで、保持部材に保持されたアンカーボルトの位置を水平方向に調整することができる。よって、ベース部材を固定する配筋に水平方向の凹凸があったり、位置の微調整を行う必要がある場合に、保持部材を水平移動させることでアンカーボルトの保持位置の調整を行うことができる。
また、保持部材を立ち上がり部材に設置した後であっても、保持部材を水平移動することでアンカーボルトの保持位置を調整することができる。
【００１９】
請求項５記載の発明は、請求項１乃至請求項４のいずれかに記載のアンカーボルト保持装置であって、前記立ち上がり部材の上部と、保持部材とが磁着されることにより着脱可能になされていることを特徴とする。
【００２０】
磁着される手段としては、常時磁力を有する磁石体を使用してもよいし、電磁石のように電流を流すことにより磁力を有する磁石体を用いてもよい。また、スイッチを入れることにより保持部材に面する側に磁力が生じる構成であってもよい。
【００２１】
請求項５記載の発明の構成によると、磁着されることにより保持部材の着脱が容易になり、保持部材の位置調整も容易になる。また、コンクリートの打設前後での保持部材の着脱も行い易い。
【発明の効果】
【００２２】
請求項１記載の発明では、ベース部材を配筋された鉄筋に固定してアンカーボルト保持するので、基礎立ち上がり部がなく基礎ベース部分に直接アンカーボルトを保持する場合であってもアンカーボルトを確実に保持できる。また、従来の捨てコンクリート上に架台等を組んでアンカーボルトを保持する場合に比べ配筋の際の邪魔になることがない。また、配筋工事に続けてベース部材の取り付けを行うことができ作業効率がよい。また、鉄筋に直接固定するので、予め地盤面に捨てコンクリートを打設する必要もなく工程短縮ができる、また基礎底面の地盤面に多少の凹凸が存在していても所定の位置にアンカーボルトの保持を行うことができる。
【００２３】
請求項２記載の発明では、立ち上がり部材がベース部材に対して鉛直方向に移動可能となされることで、アンカーボルトの位置を鉛直方向に調整できる。よって、ベース部材を固定する配筋に鉛直方向の凹凸があったとしても、立ち上がり部材を鉛直移動させることでアンカーボルトの保持高さの調整を行うことができる。
【００２４】
請求項３記載の発明では、立ち上がり部材とベース部材が螺着されることにより鉛直移動可能となされるので、立ち上がり部材を回動するだけの容易な作業でアンカーボルトの保持高さの調整を行うことができる。
【００２５】
請求項４記載の発明では、保持部材が立ち上がり部材の軸に対して直交する面内で水平移動可能となされることで、保持部材に保持されたアンカーボルトの位置を水平方向に調整することができる。
【００２６】
請求項５記載の発明では、保持部材が磁着されることにより着脱可能となされることで、保持部材の着脱及び位置調整が容易である。
【発明を実施するための最良の形態】
【００２７】
以下、本発明の実施の形態を図面に基づいて説明をする。
【実施例１】
【００２８】
実施例１は請求項１乃至５記載の発明の実施の形態であり、図１乃至図７に基づいて説明をする。図１は本発明の実施例のアンカーボルト保持装置の斜視図、図２は本発明の実施例のアンカーボルト保持装置の平面図、図３は本発明の実施例のアンカーボルト保持装置の断面図、図４は本発明の実施例のアンカーボルト保持装置を使用した基礎のコンクリート打設後の状態を示す断面図、図５は本発明のアンカーボルト保持装置のベース部材の斜視図、図６は本発明のアンカーボルト保持装置のベース部材の変形例の斜視図、本発明の実施例のアンカーボルト保持装置の変形例である保持部材１３の斜視図である
【００２９】
アンカーボルト保持装置Ａは、建物基礎に埋設されるアンカーボルト２を固定するアンカーボルト保持装置であって、建物基礎に配筋された鉄筋１に固定されるベース部材５と、そのベース部材５から上方に立設して固定される立ち上がり部材６と、その立ち上がり部材６の上部から側方に延びるように固定され、アンカーボルトを保持する保持部材３で構成されている。
【００３０】
立ち上がり部材６とベース部材５が螺着されることにより、立ち上がり部材６がベース部材５に対し鉛直移動可能となされている。また、保持部材３が、立ち上がり部材６の軸に対し直交する面内で水平移動可能になされている。更に、立ち上がり部材６の上部と、保持部材３とが磁着されることにより着脱可能になされている。
【００３１】
略水平な状態に整地した地盤面上に、基礎配筋用の鉄筋１をほぼ同間隔に離間させ碁盤目状に敷く。鉄筋１同士が移動することのないようになまし鉄線などを用いて結束される。この鉄筋１のアンカーボルト設置箇所付近の鉄筋１にベース部材５を固定する。
【００３２】
ベース部材５は、図５のように径６ｍｍの丸棒５ａを２個用いてくの字形状に加工し、くの字形状の開放した側がお互いに外を向くようにして配置し、その間にナット５ｂを挟み込み溶接されたものである。
【００３３】
ベース部材５のナット５ｂに立ち上がり部材６を立設させて螺着する。
立ち上がり部材６は、上部及び下部にねじ部を備え、腐食しにくいステンレス製の棒材となっている。立ち上がり部材６の下部のねじ部はベース部材５のナット５ｂに螺着され、上部は磁石体４に螺着される。なお、立ち上がり部材６の長さは、ベース部材５に立設した際に、立ち上がり部材６の頂部が基礎天面予定ライン１０より上部になるような長さとなっている。
【００３４】
磁石体４は、内部に磁石が内蔵されておりスイッチ４ａを回すことで、磁石が磁石体４の上面に向き、磁石体４上面が磁化される構成となっている。また、下面部には、立ち上がり部材６と螺着するための溝孔が設けられている。
【００３５】
保持部材３は、所定の位置にアンカーボルト支持用孔３ａを３個が設けられた磁性の鋼板となっている。アンカーボルト支持用孔３ａにはアンカーボルト２を螺着するためのナット３ｂが設けられ、しっかりとアンカーボルト２を支持できるようになっている。保持部材３は磁石体４の上面に載せられて、磁石体４の上面が磁化されることにより磁着されるようになっている。
【００３６】
次に、本発明の実施例のアンカーボルト保持装置Ａを使用して、基礎にアンカーボルト２を設置する方法を説明する。
地盤面を基礎底面となる深さまで掘り起こし、その掘り起こした基礎底面部分を略水平な状態に整地する。整地した地盤面に、基礎用配筋の鉄筋１を碁盤目状に敷き詰め、なまし鉄線で結束する。次に、図１及び３のようにアンカーボルト２の設置位置の上部に水糸７、７、７を張り、アンカーボルト２の位置決めを行う。ベース部材５を４個用いて、上記アンカーボルト２の設置位置を囲むように、アンカーボルト２の設置位置周辺の鉄筋１になまし鉄線にて結束し固定する。
【００３７】
次に、立ち上がり部材６の表面に予め油を塗り、ベース部材５のナット５ｂに立設して螺着する。立ち上がり部材６の上部に磁石体４を固定する。その磁石体４を上部面に保持部材３を載せる。この際、立ち上がり部材６を回動させながら鉛直方向に移動させ、保持部材３が水平状態になるよう調整する。この際、保持部材３には予めアンカーボルト２を保持させておき、水糸７、７の交差部の真下にアンカーボルト２の頂部がくるように保持部材３を水平移動させて調整を行う。調整された位置で磁石体４のスイッチを回して磁石体４の上面を磁化させ保持部材３を磁着させる。なお、この際誤って移動した際に、移動したことが解るように保持部材３と磁石体４の接点にマーキングをしておくとよい。
【００３８】
この状態で、コンクリートを基礎天端予定ライン８までのコンクリートを打設する。その後、コンクリートの養生を十分に行い、コンクリート基礎部分９を形成させる。最後に図４のようなコンクリート基礎天面９１から突出した立ち上がり部材５、磁石体４、保持部材３を取り外す。この際、保持部材３は磁石体４のスイッチを回すことにより容易に取り外すことができる。また、立ち上がり部材６は予め表面に油を塗ってあるので回動させることで、コンクリート基礎部分９の内部に埋設された立ち上がり部材６ごと抜き取ることができる。以上より、基礎の所定の位置にアンカーボルト２を保持し、アンカーボルト２を設置できる。
【００３９】
以上、本発明の実施例１について説明したが、本発明は本実施例に限定されるものではなく、本発明の要旨を逸脱しない範囲の設計変更があっても本発明に含まれるのは勿論である。例えば、図６のような丸棒１５ａを１個用いてＵの字形状に折り曲げ、ナット１５ｂを取り付けたベース部材１５を用いたものや、図７のようなＬ字形状の保持部材３１を用い破線部に磁石体１４を設けるものとしてもよい。また、電磁石などを用いて立ち上がり部材と保持部材を磁着させてもよい。
【産業上の利用可能性】
【００４０】
建物基礎に埋設されるアンカーボルトを所定の位置に容易にかつ正確に保持することができるアンカーボルト保持装置としての利用に有効である。
【図面の簡単な説明】
【００４１】
【図１】本発明の実施例のアンカーボルト保持装置の斜視図である。
【図２】本発明の実施例のアンカーボルト保持装置の平面図である。
【図３】本発明の実施例のアンカーボルト保持装置の断面図である。
【図４】本発明の実施例のアンカーボルト保持装置を使用した基礎のコンクリート打設後の状態を示す断面図である。
【図５】本発明の実施例のアンカーボルト保持装置のベース部材の斜視図である。
【図６】本発明の実施例のアンカーボルト保持装置の変形例であるベース部材１５の斜視図である。
【図７】本発明の実施例のアンカーボルト保持装置の変形例である保持部材１３の斜視図である。
【符号の説明】
【００４２】
Ａ            アンカーボルト保持装置
１            鉄筋
２            アンカーボルト
３、１３      保持部材
３ａ、１３ａ  アンカーボルト支持用孔
３ｂ、１３ｂ  ナット
４、１４      磁石体
５、１５      ベース部材
５ａ、１５ａ  丸棒
５ｂ、１５ｂ  ナット
６            立ち上がり部材
７            水糸
８            基礎天端予定ライン
９            コンクリート基礎部分
９１          コンクリート基礎天面
【図１】
2006283359.tif 000003
【図２】
2006283359.tif 000004
【図３】
2006283359.tif 000005
【図４】
2006283359.tif 000006
【図５】
2006283359.tif 000007
【図６】
2006283359.tif 000008
【図７】
2006283359.tif 000009